(57)【要約】【課題】水平面上の各方向における横揺れを低減できるテーブルを提供することを目的とする。【解決手段】本願発明のテーブルは、立設された端部脚２及び中間脚４１の上端部に天板１が固定されて支持されるとともに、複数の端部脚２の内側に中間脚４１が配置されている。天板１上面を上方から視た平面視による天板の長手方向を前後方向としたとき、板状となる複数の中間脚４１が平面視で前後方向に対して交差する方向に離間して、中間脚４１の上下端部の長手方向が前後方向に沿うように配置されている。そして、隣接する中間脚４１で仕切られた仕切り空間４０が天板１下方に形成される。【選択図】図１
2019063240.tif 000002
【特許請求の範囲】
【請求項１】
立設された端部脚及び中間脚の上端部に天板が固定されて支持されるとともに、複数の端部脚の内側に中間脚が配置されたテーブルであって、
前記天板上面を上方から視た平面視による前記天板の長手方向を前後方向とし、
板状となる複数の前記中間脚が平面視で前後方向に対して交差する方向に離間して、前記中間脚の上下端部の長手方向が前後方向に沿うように配置されており、隣接する前記中間脚で仕切られた仕切り空間が前記天板下方に形成されることを特徴とするテーブル。
【請求項２】
前記中間脚の下端部における前後両端に接地部が配置されるとともに、前記仕切り空間は左右の開口部を有することを特徴とする請求項１に記載のテーブル。
【請求項３】
複数の前記中間脚の上端が、上端用連結ブラケット板を介して前記天板の下面と連結されていることを特徴とする請求項２に記載のテーブル。
【請求項４】
隣接する前記中間脚が、前記仕切り空間における前後の開口部の一部を被覆する側部用連結ブラケット板と、隣接する前記中間脚それぞれの対向する面同士に架設される棚板とによって連結されることを特徴とする請求項２又は３に記載のテーブル。
【請求項５】
前記側部用連結ブラケット板は、前記仕切り空間の開口部における上下部分を覆うように配置されており、上下の前記側部用連結ブラケット板それぞれと着脱自在となる化粧板で前記仕切り空間の開口部が被覆されることを特徴とする請求項４に記載のテーブル。
【請求項６】
前記天板にコンセントユニットが埋設されており、前記コンセントユニットの電源線が前記天板下面を沿って前記仕切り空間まで延設されるとともに前記仕切り空間内を挿通することを特徴とする請求項２〜５のいずれか一項に記載のテーブル。
【発明の詳細な説明】
【技術分野】
【０００１】
本願発明は、端部脚と中間脚とで天板を支持した構造を有するテーブルに関するものである。
【背景技術】
【０００２】
テーブルは、一般的に、立設させた４本の柱状の脚で天板の四隅を支持させるように構成されている。このように天板四隅に柱状の脚を設けた構成では、天板面積が広くなった場合、その支持強度が不十分となり、天板の横揺れが発生する。そのため、上記構成のテーブルにおける天板の支持強度を高めるべく、天板の中央部分を支持する中間脚を立設させたものが提案されている（特許文献１参照）。また、天板の支持強度を更に高めるものとして、天板を支持する各脚の下端部を底板で連結したテーブルが提案されている（特許文献２参照）。
【先行技術文献】
【特許文献】
【０００３】
【特許文献１】特許第５５１０９２０号公報
【特許文献２】特開２０１６−２０９４０８号公報
【発明の概要】
【発明が解決しようとする課題】
【０００４】
特許文献２のテーブルは、災害時の安全性を確保できるよう、頑丈な構造を有しているが、複数の脚を底板と共に一体で構成しているため、テーブルの組立工数が多くなるだけでなく、テーブル設置場所での組立が困難になる。また、天板面積が広くなった場合、テーブルの重量が重くなるばかりか、底板と脚との一体部品の容積が大きくなるため、テーブル設置場所に対する搬出入が難しくなる。一方、特許文献１のテーブルは、２本並べて設置した柱状の中間脚要素を補強部品で連結した構造としているため、１対の中間脚要素の配列方向に対する横揺れは抑制できるものの、当該配列方向に交差する方向に対する横揺れの抑制には貢献できないという課題がある。特に、テーブルの高さが高くなるハイテーブルにおいては、脚の高さ方向長さが長くなることから支持構造が不安定になり、横揺れを十分に抑制できない虞がある。
【０００５】
本願発明は、このような現状を改善すべく成されたものである。
【課題を解決するための手段】
【０００６】
本願発明のテーブルは、立設された端部脚及び中間脚の上端部に天板が固定されて支持されるとともに、複数の端部脚の内側に中間脚が配置されたテーブルであって、前記天板上面を上方から視た平面視による前記天板の長手方向を前後方向とし、板状となる複数の前記中間脚が平面視で前後方向に対して交差する方向に離間して、前記中間脚の上下端部の長手方向が前後方向に沿うように配置されており、隣接する前記中間脚で仕切られた仕切り空間が前記天板下方に形成されるものである。
【０００７】
上記テーブルにおいて、前記中間脚の下端部における前後両端に接地部が配置されるとともに、前記仕切り空間は左右の開口部を有するものとしても構わない。また、前後一対となる前記接地部が上下方向に独立して伸縮することで、前記中間脚の前後方向の高さを調節可能に構成されるものとしても構わない。
【０００８】
上記テーブルにおいて、複数の前記中間脚の上端が、上端用連結ブラケット板を介して前記天板の下面と連結されているものとしても構わない。また、前記上端用連結ブラケット板は、隣接して配置された前記中間脚の上端を架設するものであっても構わない。
【０００９】
隣接する前記中間脚が、前記仕切り空間における前後の開口部の一部を被覆する側部用連結ブラケット板と、隣接する前記中間脚それぞれの対向する面同士に架設される棚板とによって連結されるものとしても構わない。
【００１０】
上記テーブルにおいて、前記側部用連結ブラケット板は、前記仕切り空間の開口部における上下部分を覆うように配置されており、上下の前記側部用連結ブラケット板それぞれと着脱自在となる化粧板で前記仕切り空間の開口部が被覆されるものとしても構わない。このとき、前記側部用連結ブラケット板が磁性材料による金属板で構成されるとともに、前記化粧板が前記側部用ブラケット板に磁着可能に構成されているものとしても構わない。
【００１１】
上記テーブルにおいて、前記天板にコンセントユニットが埋設されており、前記コンセントユニットの電源線が前記天板下面を沿って前記仕切り空間まで延設されるとともに前記仕切り空間内を挿通するものとしても構わない。
【発明の効果】
【００１２】
本願発明によると、長手方向を前後方向に沿わせた複数の中間脚を前後方向と交差する方向に配列させることで、天板の面内方向に対するテーブルの揺れを抑制できる。さらに、複数の中間脚の長手方向を天板の長手方向（前後方向）に沿わせて配置することで、中間脚群のうち外観で目立つ面（視認しやすい面）として、分割線（カバー等）が無い面を形成でき、外観上優れる。また、各中間脚の下端部の前後両端に接地部を設けることで、天板面の高さについて、前後方向だけでなく左右方向についても調整できる。
【００１３】
本願発明によると、複数の中間脚の上端を上端用連結ブラケット板で連結した構成を有することで、天板との連結前に複数の中間脚を立設させることができるため、天板を中間脚上の上端用連結ブラケット板に載置させて固定でき、テーブルの組立性が向上する。また、隣接する中間脚が側部用連結ブラケット板及び棚板で連結されるため、中間脚によるテーブルの支持剛性が高くなり、テーブルの揺れを更に抑制できる。
【００１４】
本願発明によると、複数の中間脚を離間して配置して仕切り空間を構成することで、仕切り空間内にテーブル使用時や緊急時に必要となる物品などを収容して、テーブル使用時や緊急時に備えることができる。また、隣接する中間脚が棚板で連結されるため、仕切り空間を棚板で複数に分割することで、更に多くの物品を収容できる。更に、天板にコンセントユニットを具備した場合であっても、床からの立ち上げ配線を仕切り空間内に納めることができ、テーブルの美観を損なうことがない。
【図面の簡単な説明】
【００１５】
【図１】第１実施形態に係るテーブルを示しており、（Ａ）は全体の斜視図、（Ｂ）前側面図である。
【図２】同テーブルの左側面図である。
【図３】（Ａ）は同テーブルの天板を仮想線で表示した平面図、（Ｂ）は底面図である。
【図４】同テーブルの端部脚の構成を示しており、（Ａ）は天板を仮想線で表示した平面図、（Ｂ）は底面図、（Ｃ）は骨組みの部分的な斜視図である。
【図５】（Ａ）は端部脚の分離斜視図、（Ｂ）はブラケットを下方から見た斜視図、（Ｃ）は脚とエンドフレームとの分離斜視図である。
【図６】（Ａ）は端部脚とエンドフレームとの分離斜視図、（Ｂ）はブラケットとエンドフレームとの連結部を下方から見た斜視図、（Ｃ）はブラケットとエンドフレームとの裏返した状態の分離斜視図である。
【図７】同テーブルの中間脚ユニットの構成を示す平面図である。
【図８】同テーブルの中間脚ユニットの構成を示すＡ−Ａ断面図である。
【図９】同テーブルの中間脚ユニットの構成を示すＢ−Ｂ断面図である。
【図１０】第２実施形態に係るテーブルを示しており、（Ａ）は全体の斜視図、（Ｂ）中間脚ユニットの構成を示す平面図である。
【図１１】第３実施形態に係るテーブルを示しており、（Ａ）は全体の斜視図、（Ｂ）中間脚ユニットの構成を示す平面図である。
【図１２】テーブルの天板の別例を示しており、（Ａ）は全体の斜視図、（Ｂ）平面図である。
【図１３】テーブルの天板の別例を示しており、（Ａ）は全体の斜視図、（Ｂ）平面図である。
【図１４】第１参考形態に係るテーブルを示しており、（Ａ）は全体の斜視図、（Ｂ）中間脚ユニットの構成を示す平面図である。
【図１５】第２参考形態に係るテーブルを示しており、（Ａ）は全体の斜視図、（Ｂ）中間脚ユニットの構成を示す平面図である。
【発明を実施するための形態】
【００１６】
＜第１実施形態＞
１．テーブルの概要
本願発明の第１実施形態について図面に基づいて説明する。以下に、図面を参照して説明する。図１は、本実施形態のテーブルの構成を示す外観斜視及び前側面図であり、図２は、当該テーブルの構成を示す左側面図であり、図３は、該テーブルの構成を示す平面及び底面図である。本実施形態のテーブルは、長方形の天板１を有しており、また、各方向を特定するため、前後・左右の文言を使用するが、図１に示すように、テーブルにおける天板１の長手方向を前後方向とし、これと直交した方向を左右方向と定義している。
【００１７】
図１〜図３に示すように、本実施形態のテーブルは長方形の仕様であり、平面視長方形の天板１と、天板１を支える４本の端部脚２及び中間脚ユニット４とを有している。端部脚２は、天板１のコーナー部（四隅部）に位置しており、端部脚２上端が天板１の下面と連結することで、４本の端部脚２により天板１を支持している。天板１の前後短辺近傍において、左右一対となる２本の端部脚２が、左右長手のエンドフレーム３の左右両端で連結している。そして、前後一対となるエンドフレーム３が天板１下面に固定されることで、４本の端部脚２で天板１の四隅が支持される。
【００１８】
中間脚ユニット４は、天板１上方から視た平面視において、設置面から立設した４本の端部脚２に囲まれた領域より内側に配置されている。そして、天板１下面の中央領域に中間脚ユニット４上端が連結することで、中間脚ユニット４で天板１の中央部分が支持される。中間脚ユニット４は、矩形状となる平面視断面を有しており、天板１の四隅部に配置されるように立設した４本の端部脚２それぞれと同一距離となる位置で立設している。
【００１９】
天板１は木製であり、天板１下面が前後一対のエンドフレーム３とボルト５で固定されている。なお、エンドフレーム３は、天板１の短辺（短手方向）に沿うように配置された前後一対のものとしたが、天板１の長辺（長手方向）に沿うように配置された左右一対のものとしてもよい。エンドフレーム３が左右一対となる場合、前後一対となる２本の端部脚２が、前後長手のエンドフレーム３の前後両端で連結している。
【００２０】
また、天板１の前後方向となる中心線Ｘ１に沿った部位の前後２か所には、平面視四角形（長方形）の配線穴６が空いており、当該配線穴６にコンセントユニット７が嵌合されている。なお、天板１は木製のものを使用するものとしたが、スチール製のものを使用したり、紙製等の軽量コア部材の上下両面に金属板（スチール板）を接着した積層品を使用したりすることも可能である。
【００２１】
本実施形態のテーブルは、使用者が立位又はハイスツールなどに浅く腰かけた状態で使用されるハイテーブルとしたとき、４本の端部脚２と共に中間脚ユニット４により天板１を支持することで、テーブルの剛性を高めることができ、左右方向及び前後方向の横揺れを抑制できる。また、このようなハイテーブルにおいて、端部脚２及び中間脚ユニット４の高さが、ハイスツールの高さより高く、ハイスツールを天板１下方に収容できる。このとき、天板１の左右長辺と中間脚ユニット４との間に、ハイスツールが収容できるように、中間脚ユニット４が配置されることで、使用者の足が中間脚ユニット４へ衝突することを防止できる。なお、ハイテーブルは、床面から天板１までの高さが通常の椅子の背もたれより高くなるように構成されており、ハイスツールに限らず、椅子をテーブルの天板１下方に収容できる。
【００２２】
２．端部脚の構造
図４〜図６に示すように、端部脚２は、天板１の下面に固定されるブラケット８と、ブラケット８に取り付けた支柱９とで構成されている。ブラケット８は、例えばアルミを材料にしたダイキャスト品であり（樹脂の成形品でもよい）、平面視正方形の基部８ａを有している。そして、基部８ａの１つのコーナー部の箇所に、平面視正方形の支柱取り付け部１０を一体に設けて、支柱取り付け部１０に設けた角形の下向きボス１１に、角管状の支柱９を下方から嵌め込んでいる。
【００２３】
下向きボス１１は上向きに開口した箱状の形態を成しており、内部にはボルト受け座１２を設けて、ボルト受け座１２に、上下に開口した２つのボルト挿通穴１３を形成している。他方、支柱９の内部のうちその上部には、角形のナット板１４が溶接によって固定されており、下向きボス１１の下面がナット板１４に重なっている。そして、ボルト受け座１２に上から挿通したボルト１５をナット板１４の雌ネジ穴１４ａにねじ込むことにより、支柱９がブラケット８に固定されている。
【００２４】
ブラケット８の基部８ａには、下向きボス１１と繋がった下向きの脊梁部１６が形成されており、これにより、ブラケット８としての強度が確保されて、支柱９を偏心して設けても大きな荷重を支え得るようになっている。脊梁部１６が下向きボス１１と繋がっているため、支柱９の上部には、脊梁部１６との干渉を回避する切欠き１７が形成されている。脊梁部１６は、上向きに開口した溝形になっており、中心線に沿って補強リブ１８が形成されている。また、ブラケット８のうち脊梁部１６を挟んだ両側はフランジの状態になっている。
【００２５】
ブラケット８における基部８ａのうち、中心を挟んで支柱取り付け部１０と反対側のコーナー部には、エンドフレーム３に外から嵌まり込む略角形の突部１９が一体に形成されている。突部１９はエンドフレーム３と同じ方向に向いているので、基部８ａの対角方向ではなくて、基部８ａを構成する１つの辺と直交した方向に向いている。
【００２６】
突部１９は、上面と下面とに溝を形成して中間板部１９ｃを有するＨ形の形態を成しており、中間板部１９ｃに、上下に貫通した通し穴２０を空けている。エンドフレーム３と突部１９とに下方からボルト２１を挿通し、このボルト２１を、天板１に設けた雌ネジ穴（鬼目ナット）にねじ込むことにより、エンドフレーム３と突部１９とが天板１に固定されている。エンドフレーム３における下面部の端部には、突部１９の中間板部１９ｃに重なるランド部２２を形成している。
【００２７】
ブラケット８には、天板１への固定に使用されるボルト挿通穴２３，２４が上下に開口して空けられている。各ボルト挿通穴２３，２４の下部には、ボルトの頭が嵌まる座繰り穴を形成している。
【００２８】
第１ボルト挿通穴２３は、基部８ａの略中央部に形成されている。他方、第２ボルト挿通穴２４は、脊梁部１６の中心線上の位置で突部１９に寄った１つのコーナー部と、脊梁部１６の中心線を挟んで２つのコーナー部の箇所との合計３か所に形成されている。従って、脚２のブラケット８は４本のボルト２７で天板１に固定される。これに伴って、天板１の各コーナー部には、４つずつの雌ネジ穴（鬼目ナット）を設けており、これが、外側位置脚固定部となっている。
【００２９】
エンドフレーム３の上面には、台錘状の上向き台座部２８が飛び飛びで複数個膨出形成されており、この台座部２８がボルト５で天板１に固定されている。従って、天板１とエンドフレーム３との間には、台座部２８の突出高さと同じ寸法の隙間が空いている。なお、エンドフレーム３の上面に板材（スペーサ）を溶接等で固定しても、エンドフレーム３と天板１との間に隙間を空けることができる。また、エンドフレーム３のうち各台座部２８の下方部には大きな穴３０が空いており、この穴３０に、上下に開口した樹脂製の筒体３１を装着している。
【００３０】
３．中間脚ユニットの構造
中間脚ユニット４は、図１〜図３，図７〜図９に示すように、平面視による断面が矩形状となる中間脚４１を複数並べて配置することで構成されている。すなわち、板状となる複数の中間脚４１が平面視で前後方向に対して交差する方向に離間するとともに、中間脚４１の上下端部の長手方向が前後方向に沿うように配置されることで、天板１下面と連結する中間脚ユニット４が構成されている。そして、隣接する中間脚ユニット４で仕切られた仕切り空間４０が天板１下方に形成される。すなわち、中間脚ユニット４は、中間脚４１により挟まれた領域に上下方向の空洞となる仕切り空間４０を内側に形成している。
【００３１】
本実施形態のテーブルの例では、設置面から立設させた２枚の板状の中間脚４１を、天板１の前後方向となる中心線Ｘ１を挟むように左右方向に並べて配置して、中間脚ユニット４を構成している。そして、左右一対の中間脚４１は、互いに対向する左右側面（左中間脚４１の右側面と右中間脚４１の左側面）が平行となるように配置されている。また、２枚の中間脚４１における前後方向の中心Ｏ２が、天板１の左右方向となる中心線Ｘ２上となるように、中間脚４１が左右方向に並設されている。すなわち、平面視において、２枚の中間脚４１は、天板１の中心Ｏ１を基準として点対象位置に配置されている。
【００３２】
中間脚４１の下端部における前後両端には、アジャスタ（接地部）４２が配置されている。すなわち、中間脚４１下端部の底面（下端面）には、前後一対となるアジャスタ４２が下方に向けて突設されている。そして、前後一対となるアジャスタ４２が上下方向に独立して伸縮することで、中間脚４１の前後方向の高さを調節可能に構成される。中間脚４１の下端面における前後両端位置に、アジャスタ４２のネジ部４２ａが挿入されるネジ穴４３が設けられており、アジャスタ４２のネジ部４２ａがネジ穴４３に対して螺動することで、アジャスタ４２による高さ調節がなされる。
【００３３】
すなわち、中間脚ユニット４を構成する左右一対の中間脚４１それぞれに、前後一対のアジャスタ４２が設けられるため、中間脚ユニット４底面の四隅に、独立して伸縮するアジャスタ４２が設置されることとなる。従って、中間脚ユニット４の下端部が接地する設置面の傾斜に合わせて各アジャスタ４２の高さを調整することで、天板１を左右方向及び前後方向それぞれについて水平な状態とすることができる。
【００３４】
このように、本実施形態におけるテーブルは、長手方向を前後方向に沿わせた複数の中間脚４１を前後方向と交差する方向（左右方向）に配列させる中間脚ユニット４で天板１を支持させることで、天板１の面内方向に対するテーブルの揺れを抑制できる。また、各中間脚４１の下端部の前後両端にアジャスタ４２を設けることで、天板１面の高さについて、前後方向だけでなく左右方向についても調整できる。
【００３５】
また、中間脚ユニット４の仕切り空間４０は前後の開口部４０ａを有している。すなわち、中間脚ユニット４は、前後一対となる板状の中間脚４１を離間させて設置面から立設させることで構成されており、中間脚４１の間には、左右側面が開口した仕切り空間４０が構成されることとなる。
【００３６】
更に、複数の中間脚４１上端（上面）が、上端用連結ブラケット板４４を介して天板１の下面と連結されている。すなわち、上端用連結ブラケット板４４は、隣接して配置された左右一対の中間脚４１の上端を架設しており、左右の中間脚４１間に構成される仕切り空間４０上方が上端用連結ブラケット板４４によって覆われる。上端用連結ブラケット板４４は、左右の中間脚４１上端部分で囲まれた領域よりも大きい四角形状（長方形）の板で構成されており、左右の中間脚４１上端部分よりも外側に張り出すようにして設置されている。
【００３７】
左右の中間脚４１と上端用連結ブラケット板４４とがボルト４５で連結されるとともに、天板１と上端用連結ブラケット板４４とがボルト４６で連結されることで、天板１が上端用連結ブラケット板４４を介して左右の中間脚４１上に固定される。上端用連結ブラケット板４４には、ボルト４５，４６それぞれを通す複数のボルト挿通穴４４ａ，４４ｂが穿設されており、平面視において、ボルト挿通穴４４ｂがボルト挿通穴４４ａの外側に配置されている。すなわち、ボルト挿通穴４４ａが、上端用連結ブラケット板４４下面に中間脚４１上端を連結したときのネジ穴４３に対応する位置に設けられており、ボルト挿通穴４４ｂは、ボルト挿通穴４４ａよりも上端用連結ブラケット板４４の外周縁側に設けられる。
【００３８】
上端用連結ブラケット板４４上方からボルト挿通穴４４ａに挿入されるボルト４５が、ボルト挿通穴４４ａを貫通して、中間脚４１上端部のネジ穴４３に螺着することで、中間脚４１上面に上端用連結ブラケット板４４が固定される。このとき、例えば、中間脚４１上端の天面（上面）には、前後端側と中央位置に３つのネジ穴４３が穿設される。なお、中間脚４１は、ボルト４５が螺着されるネジ穴４３を上端（上面）に３つ設ける一方で、アジャスタ４２が螺着されるネジ穴４３を下端（下面）に２つ設ける構成とするように、中間脚４１の上下端それぞれに設けるネジ穴４３の数を異なるものとすることで、ネジ穴４３の数により中間脚４１の上下方向を確認できるものとしてもよい。また、中間脚４１は、上端（上面）及び下端（下面）それぞれにネジ穴４３を３つ設ける構成とするように、中間脚４１の上下端それぞれに設けるネジ穴４３の数を同数とするものとしてもよい。
【００３９】
天板１の下面にボルト埋設用穴１０１が穿設されており、中間脚４１と上端用連結ブラケット板４４とを連結するボルト４５のボルト頭がボルト埋設用穴１０１に挿入される。すなわち、中間脚ユニット４上端面に固定された上端用連結ブラケット板４４に天板１を載置する際に、天板１のボルト埋設用穴１０１にボルト４５を挿入することで、中間脚ユニット４と天板１との相対位置を位置決めできる。
【００４０】
また、上端用連結ブラケット板４４は、中間脚ユニット４の上端面より張り出した張り出し部分に、複数のボルト挿通穴４４ｂを備えている。そして、天板１の下面には、ボルト埋設用穴１０１の外側に、上端用連結ブラケット板４４下方からボルト挿通穴４４ｂを貫通するボルト４６が螺着するネジ穴１０２が穿設されている。すなわち、上端用連結ブラケット板４４上面に天板１が載置された状態で、ボルト４６が下方からボルト挿通穴４４ａを貫通して、天板１のネジ穴１０２に螺着することで、中間脚ユニット４上端に天板１が固定される。
【００４１】
隣接する中間脚４１が、仕切り空間４０における前後の開口部４０ａの一部を被覆する側部用連結ブラケット板４７と、隣接する中間脚４１それぞれの対向する面同士に架設される棚板４８とによって連結される。側部用連結ブラケット板４７は、仕切り空間４０の開口部４０ａにおける上下部分を覆うように配置されている。また、前後の開口部４０ａそれぞれにおいて上下一対となる側部用連結ブラケット板４７は、左右両端を屈曲させた断面Ｕの字形状を有しており、屈曲させた左右両端部を左右の中間脚４１に当接させてボルト５１などで固定されている。本実施形態の例では、上下一対となる側部用連結ブラケット板４７それぞれにおいて、その左端部が左中間脚４１の右側面に上下２本のボルト５１により螺着される一方、その右端部が右中間脚４１の左側面に上下２本のボルト５１により螺着される。
【００４２】
本実施形態の例では、左右の中間脚４１が、１枚の金属板を屈曲させて前後端面及び左右側面を構成し、その内側に上下の空洞を備えた構造となっている。そして、左中間脚４１の場合、左側面部分の左貫通穴４１ｂからボルト５１が挿入され、右側面部分における左貫通穴４１ｂより開口径の小さい右貫通穴４１ａを通じて側部用連結ブラケット板４７の左端部のネジ穴４７ａに螺嵌される。このとき、ボルト５１のボルト頭が左中間脚４１の左側面部分に当接することで、側部用連結ブラケット板４７の左端部が左中間脚４１に固定される。一方、右中間脚４１の場合は、左中間脚４１と逆に、右貫通穴４１ａよりボルト５１が挿入され、右貫通穴４１ａを通じて側部用連結ブラケット板４７の右端部のネジ穴４７ａに螺嵌される。
【００４３】
このように中間脚４１と側部用連結ブラケット板４７とを連結することで、左右の中間脚４１内の空洞にボルト５１のボルト頭を収容でき、中間脚４１外側にボルト５１を突出させることがなく、ボルト５１のネジ部分を側部用連結ブラケット板４７で目隠しすることができる。また、左中間脚４１の左貫通穴４１ｂ及び右中間脚４１の右貫通穴４１ａにブッシュ（目隠し部材）５１ａを挿入することで、中間脚ユニット４の美観を損なうことなく、組み立てることができる。なお、ボルト５１を側部用連結ブラケット板４７側から挿入して中間脚４１に設けたネジ穴に螺着させることで、側部用連結ブラケット板４７を中間脚４１に固定させるものとしてもよい。これにより、中間脚４１の貫通穴を左右側面の一方にのみ設けるだけでよく、ブッシュ５１ａを用いることがなくなるため、中間脚ユニット４の美観を向上できる。
【００４４】
そして、上下の側部用連結ブラケット板４７それぞれと着脱自在となるカバー部材としての前後一対の化粧板４９により、仕切り空間４０の前後の開口部４０ａそれぞれが被覆される。このとき、側部用連結ブラケット板４７が磁性材料による金属板で構成されるとともに、化粧板４９が側部用連結ブラケット板４７に磁着可能に構成されている。本実施形態の例では、前後の化粧板４９それぞれに、上下の側部用連結ブラケット板４７それぞれと当接する上下領域に板磁石５０が貼設されている。そして、板磁石５０が側部用連結ブラケット板４７に磁着することで、前後の化粧板５９それぞれが、前後の開口部４０ａを覆うようにして、上下の側部用連結ブラケット板４７に固定される。
【００４５】
棚板４８は、棚板固定用ブラケット５２を介して左右一対の中間脚４１の内側側面に固定されている。すなわち、左中間脚４１は、右側面に前後方向に配列された複数のスリット５３群を上下に複数段有しており、右中間脚４１は、左側面に前後方向に配列された複数のスリット５３群を上下に複数段有している。本実施形態の例では、中間脚４１の側面に、前後に４つのスリット５３が配列されるとともに、この４つのスリット５３群が上下３段で設けられている。また、左右の中間脚４１の上下格段のスリット５３は、同一の高さ位置に設けられている。
【００４６】
棚板固定用ブラケット５２の１端辺に、前後２つのスリット５３に挿入される挿入部５２ａが突設されており、この挿入部５２ａは棚板４８を支持する支持面（水平面）５２ｂから上方に向かって鋭角に屈曲している。これにより、棚板固定用ブラケット５２は、スリット５３から中間脚４１内に挿入された挿入部５２ａの上端を、中間脚４１内部の側面に当接させることで、中間脚４１に固定支持される。棚板固定用ブラケット５２は、支持面５２ｂに貫通穴５２ｃを備えている。そして、下方から貫通穴５２ｃに挿入されるボルト５４が棚板４８下面のネジ穴４８ａに螺嵌することで、中間脚４１に支持された棚板固定用ブラケット５２上に棚板４８が固定される。すなわち、棚板４８の左右両端部が、左右の中間脚４１それぞれに支持された左右の棚板固定用ブラケット５２に対して、ボルト５４で螺着されることで、棚板４８が、左右の中間脚４１を架設するように固定される。
【００４７】
本実施形態の例では、棚板固定用ブラケット５２が、前後に２つの挿入部５２ａを備えており、中間脚４１における同一段の２つのスリット５３に挿入される。すなわち、中間脚ユニット４の仕切り空間４０において、前開口部４０ａに対しては、左右の中間脚４１それぞれの前方２つのスリットに棚板固定用ブラケット５２を支持させる一方、後開口部４０ａに対しては、左右の中間脚４１それぞれの後方２つのスリットに棚板固定用ブラケット５２を支持させる。これにより、前後の開口部４０ａそれぞれに対して、棚板固定用ブラケット５２を支持させるスリット５３を異なる高さ位置で選択できるため、棚板４８の位置を前後の開口部４０ａで異なる高さに設定できる。
【００４８】
複数の中間脚４１の上端を上端用連結ブラケット板４４で連結した構成を有することで、天板１との連結前に複数の中間脚４１を立設させることができるため、天板１を中間脚４１上の上端用連結ブラケット板４４に載置させて固定でき、テーブルの組立性が向上する。また、隣接する中間脚４１が側部用連結ブラケット板４７及び棚板４８で連結されるため、中間脚４１によるテーブルの支持剛性が高くなり、テーブルの揺れを更に抑制できる。
【００４９】
天板１にコンセントユニット７が埋設されており、コンセントユニット７の電源線７１が天板１下面を沿って仕切り空間４０まで延設されるとともに仕切り空間４０内を挿通する。コンセントユニット７は、平面視において、中間脚ユニット４を挟んで前後に対称となる位置に配置されている。これにより、天板１下面を這わせる電源線７１は、コンセントユニット７より中間脚ユニット４に向かって前後方向に延設され、上端用連結ブラケット４４と化粧板４９との隙間より中間脚ユニット４内の仕切り空間４０内に挿入される。
【００５０】
複数の中間脚４１を離間して配置して仕切り空間４０を構成することで、仕切り空間４０内にテーブル使用時や緊急時に必要となる物品などを収容して、テーブル使用時や緊急時に備えることができる。また、隣接する中間脚４１が棚板４８で連結されるため、仕切り空間４０を棚板４８で複数に分割することで、更に多くの物品を収容できる。更に、天板１にコンセントユニット７を具備した場合であっても、床からの立ち上げ配線（電源線）７１を仕切り空間４０内に納めることができ、テーブルの美観を損なうことがない。
【００５１】
また、図１〜図３及び図７に示すように、前後の化粧板４９は、左右の中間脚４１の前後側面（前後端面）よりも中間脚ユニット４の前後中央部寄りの位置に設けられている。換言すれば、中間脚４１の前後端部は、化粧板４９に対して前後外向きに突出している。つまり、中間脚ユニット４は、全体として平面視でＨ字形を有している。例えば、仕切り空間４０への物品の出し入れ作業や、仕切り空間４０における電線の配線作業、化粧板４９の取外し又は取付け作業などの中間脚ユニット４に対する各種作業は、作業者が天板１の下に潜り込んで行われる。このような作業を行う際、作業者は不安定な姿勢になるが、化粧板４９に対して前後外向きに突出している中間脚４１の前後端部を掴むことで、身体を安定させることができ、安定した状態で安全に作業を行える。なお、化粧板４９は、中間脚４１の前後側面と面一に設けられていてもよい。
【００５２】
＜第２実施形態＞
本願発明の第２実施形態となるテーブルについて、中間脚ユニットの構成を中心に、以下に、図面を参照して説明する。尚、本実施形態におけるテーブルを構成する各部分において、第１実施形態と同一となる部分については、同一の符号を付して、その詳細な説明を省略する。
【００５３】
図１０に示すように、本実施形態のテーブルは、第１実施形態と異なり、中間脚ユニット４Ａを構成する中間脚４１を前後方向にオフセットさせて配置している。すなわち、左右一対の中間脚４１は、一方を前側に配置させるとともに、他方を後側に配置させ、各中間脚４１上端と天板１とを連結するために介在する上端用連結ブラケット板４４Ａが、平行四辺形による四角形状で構成される。側部用連結ブラケット板４７Ａはそれぞれ、前後に位置がずれている左右の中間脚４１と連結できるように、左右一方の端部が鋭角で屈曲されるとともに、他方の端部が鈍角で屈曲されている。
【００５４】
また、図１０の例では、左右の中間脚４１は、２つのスリット５３が前後で重なるように配置されており、中間脚ユニット４Ａ内の仕切り空間４０Ａには、前後に台形状の棚板４８Ａが固定される。棚板４８Ａは、左右の中間脚４１の一方に対して、１つのスリット５３に挿入された棚板固定用ブラケット５２Ａを介して固定される一方、左右の中間脚４１の他方に対して、３つのスリット５３に挿入された棚板固定用ブラケット５２Ｂを介して固定される。
【００５５】
このように構成することで、中間脚ユニット４Ａにおける仕切り空間４０Ａの開口部４０Ａａが、前後方向だけでなく左右方向にも開口することとなる。従って、中間脚ユニット４Ａにおける仕切り空間４０Ａ内へのアクセスが前後左右のいずれからも可能となり、中間脚ユニット４Ａに対する物品の収納又は取り出しが容易になる。
【００５６】
＜第３実施形態＞
本願発明の第３実施形態となるテーブルについて、中間脚ユニットの構成を中心に、以下に、図面を参照して説明する。尚、本実施形態におけるテーブルを構成する各部分において、第１実施形態と同一となる部分については、同一の符号を付して、その詳細な説明を省略する。
【００５７】
図１１に示すように、本実施形態のテーブルは、第１実施形態と異なり、中間脚ユニット４Ｂにおける中間脚４１の下端部の底面に下端用連結板５５が連結されている。下端用連結板５５は、その下面の４隅に、高さ調節用のアジャスタ４２を装備している。図１１の例では、左右の中間脚４１の下端部底面が、下端用連結板５５の下方より挿入されるボルト５６により、下端用連結板５５上面に固定される。
【００５８】
下端用連結板５５は、平面視において、左右の中間脚４１の設置領域も広い板面を有しており、４隅に設けた各アジャスタ４２の高さを独立して調整することで、天板１の天板面を水平に調整できる。また、図１１の例では、下端用連結板５５の長手方向を天板１の長手方向に沿うように配置することで、天板１の横揺れを低減させると同時に、天板１下方における使用者の足下の障害となる領域を狭めることができる。
【００５９】
＜天板１の別構成例＞
上記各実施形態のテーブルにおいて、天板１を長方形で構成するものとしたが、天板１の平面視形状を別形状としても構わない。例えば、図１２に示すように、左右短辺の一方を他方よりも短くした台形状の天板１Ｘとしたとき、中間脚４１の上端部の長手方向を左右短辺の中心を結ぶ中心線Ｘ１と平行とする。本例では、中間脚ユニット４を２つの中間脚４１で構成する場合、中心線Ｘ１を挟んで中間脚４１を配置するとともに、中心線Ｘ１の中心位置に上端用連結ブラケット板４４の中心が位置するように、中間脚ユニット４を設置する。
【００６０】
また、図１３に示すように、天板１Ｙの平面視形状を半円と四角形との組み合わせた形状で構成するものとしても構わない。本例では、天板１Ｙは、半円部分の円弧と四角形部分の１辺を前後方向に対向させており、中間脚ユニット４を天板１Ｙの四角形部分の領域に設置している。また、天板１Ｙの半円部分と四角形部分との境界位置にコンセントユニット７を左右方向が長手方向となるように天板１Ｙに設置することで、コンセントユニット７を中間脚ユニット４に近接して配置している。
【００６１】
＜第１参考形態＞
本願発明の第１参考形態となるテーブルについて、中間脚ユニットの構成を中心に、以下に、図面を参照して説明する。尚、本参考形態におけるテーブルを構成する各部分において、第１実施形態と同一となる部分については、同一の符号を付して、その詳細な説明を省略する。
【００６２】
図１４に示すように、本参考形態のテーブルは、第１実施形態と異なり、中間脚ユニット４Ｃを構成する中間脚４１の上端部の長手方向を天板１の短手方向（左右方向）に沿わせており、前後に並べた中間脚４１を、上端用連結ブラケット板４４、側部用連結ブラケット板４７及び棚板４８で連結する。これにより、前後方向を長手方向とする天板１を有するテーブルにおいて、天板１下方に構成される端部脚２に囲まれた開口部分が広い左右方向に向かって、中間脚ユニット４Ｃの仕切り空間４０の開口部４０ａが開口することとなる。従って、使用者が、中間脚ユニット４Ｃの仕切り空間４０に対してアクセスしやすくなるため、中間脚ユニット４Ｃに対する物品の収納又は取り出しが容易になる。
【００６３】
また、本参考形態では、左右の化粧板４９は、前後の中間脚４１の左右側面（左右端面）よりも中間脚ユニット４Ｃの前後中央部寄りの位置に設けられている。換言すれば、中間脚４１の左右端部は、化粧板４９に対して左右外向きに突出している。つまり、中間脚ユニット４Ｃは、全体として平面視でＨ字形を有している。上述のように、例えば化粧板４９の取外し又は取付け作業などの中間脚ユニット４Ｃに対する各種作業を行う際、作業者は不安定な姿勢になる。このとき、作業者は化粧板４９に対して左右外向きに突出している中間脚４１の左右端部を掴むことで、身体を安定させることができ、安定した状態で安全に作業を行える。なお、化粧板４９は、中間脚４１の左右側面と面一に設けられていてもよい。
【００６４】
＜第２参考形態＞
本願発明の第２参考形態となるテーブルについて、中間脚ユニットの構成を中心に、以下に、図面を参照して説明する。尚、本参考形態におけるテーブルを構成する各部分において、第１参考形態と同一となる部分については、同一の符号を付して、その詳細な説明を省略する。
【００６５】
図１５に示すように、本参考形態のテーブルは、第１参考形態と異なり、中間脚ユニット４Ｄを３本の中間脚４１，４１，４１Ｄで構成するものとしており、上端部の長手方向を左右方向とする３本の中間脚４１，４１，４１Ｄが、前後方向に配列されている。３本の中間脚４１，４１，４１Ｄのうち、前後の中間脚４１，４１は、第１参考形態における中間脚４１と同一の構成を有しており、中央の中間脚４１Ｄは、前後両側面にスリット５３を有した構成となる。
【００６６】
また、中央の中間脚４１Ｄは、前後両側面にネジ穴（図示省略）を有しており、中央の中間脚４１Ｄを挟んで前後に２つの側部用連結ブラケット板４７が連結される。このとき、前側の中間脚４１から挿入されたボルト５１は、前側の側部用連結ブラケット板４７の前後両端部に挿入されて螺嵌されるとともに、中央の中間脚４１Ｄの前側面のネジ穴に螺嵌する。一方、後側の中間脚４１から挿入されたボルト５１は、後側の側部用連結ブラケット板４７の前後両端部に挿入されて螺嵌されるとともに、中央の中間脚４１Ｄの後側面のネジ穴に螺嵌する。これにより、前後の側部用連結ブラケット板４７が、中央の中間脚４１Ｄの前後両側面に固定される。
【００６７】
また、本参考形態では、左右４枚の化粧板４９は、中間脚４１，４１Ｄの左右側面（左右端面）よりも中間脚ユニット４の前後中央部寄りの位置に設けられている。換言すれば、中間脚４１，４１Ｄの左右端部は、化粧板４９に対して左右外向きに突出している。そして、作業者は、中間脚ユニット４Ｄに対する各種作業を行う際、化粧板４９に対して左右外向きに突出している中間脚４１，４１Ｄの左右端部を掴むことで、身体を安定させることができ、安定した状態で安全に作業を行える。なお、化粧板４９は、中間脚４１，４１Ｄの左右側面と面一に設けられていてもよい。
【００６８】
なお、平面視で３本以上の中間脚がそれらの長手方向と直交する方向に間隔を空けて配列される構成は、本願発明のテーブルにも適用可能である。すなわち、平面視で、中間脚長手方向が天板長手方向に沿うように配置された３つ以上の中間脚が、天板長手方向に対して交差する方向に互いに離間して配列されているようにしてもよい。これにより、隣り合う中間脚同士の間に形成される仕切り空間が、天板下方で天板長手方向に対して交差する方向に複数並んで形成される。
【００６９】
以上、本願発明の実施形態を説明したが、本願発明は他にも様々に具体化でき、第１〜第３実施形態の各構成を組み合わせるものであっても構わない。また、例えば、中間脚ユニット４とエンドフレーム３とを桟フレームで連結することで、天板１を固定する前に、端部脚２、エンドフレーム３、中間脚ユニット４及び桟フレームで骨組みフレームを構成するものとしてもよい。このとき、コンセントユニット７下側に桟フレームを配置するようにして、コンセントユニット７の電源線７１を桟フレームに通して中間脚ユニット４に延設するものとしてもよい。
【００７０】
また、中間脚ユニット４の下側外周面にクッション性を有するバンパーを付設するようにして、使用者の足が中間脚ユニット４に当たっても保護する構成を有するものとしても構わない。また、当該バンパーを天板１の長手方向に平行となるような構成とすることで、例えば、ハイスツールに使用者が腰かけた状態でバンパーに足を掛けることができるようにしても構わない。更に、上記各実施形態のテーブルを、椅子の背もたれ部分が天板１に当たることのない高さのハイテーブルとしたが、天板１に椅子の背もたれ部分があたる高さとなるテーブルであっても構わない。
【産業上の利用可能性】
【００７１】
本願発明は、実際にテーブルに具体化できる。従って、産業上利用できる。
【符号の説明】
【００７２】
１  天板
２  端部脚
３  エンドフレーム
４  中間脚ユニット
８  ブラケット
９  支柱
４０  仕切り空間
４０ａ  開口部
４１  中間脚
４４  上端用連結ブラケット板
４７  側部用連結ブラケット板
４８  棚板
４９  化粧板
【図１】
2019063240.tif 000003
【図２】
2019063240.tif 000004
【図３】
2019063240.tif 000005
【図４】
2019063240.tif 000006
【図５】
2019063240.tif 000007
【図６】
2019063240.tif 000008
【図７】
2019063240.tif 000009
【図８】
2019063240.tif 000010
【図９】
2019063240.tif 000011
【図１０】
2019063240.tif 000012
【図１１】
2019063240.tif 000013
【図１２】
2019063240.tif 000014
【図１３】
2019063240.tif 000015
【図１４】
2019063240.tif 000016
【図１５】
2019063240.tif 000017